(57)【要約】管状の穴（７）の内壁（６）と、前記穴（７）に少なくとも一部が挿入される少なくとも１つの管（１７）あるいはダクトとの間の空間（１６）を封止するシステムであって、システムは、空間（１６）に挿入することが可能な封止プラグ（５）を形成する少なくとも２つの分割縦部材（１）からなり、縦部材（１）は、それぞれ、使用時に封止プラグ（５）と穴（７）の内壁（６）との間において接触面を形成する複数の外側リブ（３）を設けた外面（２）を有し、各縦部材（１）は、使用時に穴（７）の外側端部に対して置くよう意図された外部つば（９）を設け、外側リブ（３）は、上昇面を持つのこぎり歯（１１）の形状を実質的に有する。
2006514249.tif 000002
【特許請求の範囲】
【請求項１】
管状の穴の内壁と、前記穴に少なくとも一部が挿入され、軸が前記穴の軸と実質的に平行である少なくとも１つの管あるいはダクトとの間の空間を封止するシステムであって、
前記システムは、前記空間に挿入することが可能な封止プラグを形成する少なくとも２つの分割縦部材からなり、
前記縦部材は、それぞれ、使用時に前記封止プラグと前記穴の内壁との間において円周方向に接触面を形成する複数の外側リブを縦方向に間隔を置いて設けた外面を有し、
前記各縦部材は、使用時に前記穴の外側端部に対して置くよう意図された外部つばを第１のフロントエンド部に設け、
前記外側リブの少なくとも１つは、前記第１のフロントエンド部に向けて上昇していく上昇面を持つのこぎり歯形状を実質的に有し、
前記のこぎり歯の頂点付近の前記上昇面の一部は、前記頂点から離れたところに位置する前記上昇面の部分に対して、前記縦方向に対して角度を有する水平部を有することを特徴とする。
【請求項２】
請求項１に記載のシステムにおいて、
前記水平部と前記頂点から離れたところに位置する前記上昇面の部分とが交わるところは、前記上昇面において外側方向への曲がりを形成することを特徴とする。
【請求項３】
請求項１から２のいずれかに記載のシステムにおいて、
前記のこぎり歯は、前記頂点から比較的離れたところに位置する部分と前記頂点付近の部分による下降面を有し、
前記頂点から比較的離れたところに位置する部分と前記頂点付近の部分が交わるところは、前記下降面において内側方向への曲がりを有することを特徴とする。
【請求項４】
請求項３に記載のシステムにおいて、
前記頂点から比較的離れたところに位置する下降面の部分は、前記フロントエンド部に向けて傾くように構成されていることを特徴とする。
【請求項５】
請求項２または３に記載のシステムにおいて、
前記上昇面に位置する曲がりは、前記下降面に位置する曲がりより、前記外面からより離れて位置することを特徴とする。
【請求項６】
請求項１から５のいずれかに記載のシステムにおいて、
前記縦部材は、それぞれ、実質的に平らな内面を有することを特徴とする。
【請求項７】
請求項１から５のいずれかに記載のシステムにおいて、
前記縦部材は、それぞれ、使用時に前記封止プラグと前記少なくとも１つの管あるいはダクトとの間において環状接触面を形成する複数の内側リブを縦方向に間隔を置いて設けた内面を有することを特徴とする。
【請求項８】
請求項７に記載のシステムにおいて、
前記内側リブの少なくとも１つは、台形形状を有することを特徴とする。
【請求項９】
請求項８に記載のシステムにおいて、
前記台形の前記内面から最も離れた接触面は、前記台形の前記接触面と平行な他のいずれの面よりも小さいことを特徴とする。
【請求項１０】
請求項９に記載のシステムにおいて、
前記接触面に隣接する角は、角が落とされているあるいは丸められていることを特徴とする。
【請求項１１】
請求項７から１０のいずれかに記載のシステムにおいて、
各頂点は、第１のタイプの横断面に位置し、各内側リブは前記第１のタイプの横断面とオーバーラップしないことを特徴とする。
【請求項１２】
請求項７から１１のいずれかに記載のシステムにおいて、
前記のこぎり歯の基底部近くに位置する前記上昇面の部分は第２のタイプの横断面に位置し、各内側リブは前記第２のタイプの横断面とオーバーラップすることを特徴とする。
【請求項１３】
請求項１から１２のいずれかに記載のシステムにおいて、
前記各縦部材は、前記第１のフロントエンド部から離れたところにある第２のフロントエンド部の近くに位置する導入外側リブを有し、前記導入外側リブは、各外側リブが延びている第２の外周レベルよりセンターラインＨにより近い第１の外周レベルまで延びており、前記第１の外周レベルおよび前記第２の外周レベルは、それぞれ、使用時における前記封止プラグのセンターラインを基準に設定されることを特徴とする。
【請求項１４】
請求項７から１３のいずれかに記載のシステムにおいて、
前記各縦部材は、前記第１のフロントエンド部の内面に位置する第１の内部つばを有し、該第１の内部つばは各内側リブが延びるレベルと同じレベルの内周レベルまで延びており、前記内周レベルは使用時における前記封止プラグのセンターラインを基準に設定されることを特徴とする。
【請求項１５】
請求項７から１４のいずれかに記載のシステムにおいて、
前記各縦部材は、前記第２のフロントエンド部の内面に位置する第２の内部つばを有し、該第２の内部つばは各内側リブが延びるレベルと同じレベルの内周レベルまで延びており、前記内周レベルは使用時における前記封止プラグのセンターラインを基準に設定されることを特徴とする。
【請求項１６】
請求項１から１５のいずれかに記載のシステムにおいて、
前記少なくとも２つの分割縦部材は、実質的に同一であることを特徴とする。
【請求項１７】
請求項１から１６のいずれかに記載のシステムにおいて、
前記システムは、少なくとも２つの分割縦部材からなることを特徴とする。
【請求項１８】
請求項１から１７のいずれかに記載のシステムにおいて、
前記各縦部材は、少なくとも２つの内側面を有し、各内側面は、管あるいはダクトの少なくとも一部を囲むことが可能なように、前記縦方向に延びるくぼみを有することを特徴とする。
【請求項１９】
請求項１から１８のいずれかに記載のシステムにおいて、
前記各縦部材は、前記上昇面と前記外面とが交わるところから隣接する外側リブまで、前記縦方向に延びる前記外面上の平坦部を有することを特徴とする。
【請求項２０】
管状の穴と、前記穴に少なくとも一部が挿入され、軸が前記穴の軸と実質的に平行である少なくとも１つの管あるいはダクトを有する壁であって、
前記穴の内壁と前記少なくとも１つの管あるいはダクトとの間の空間を、請求項１から１９のいずれかに記載のシステムによって封止されていることを特徴とする。
【請求項２１】
管状の穴と、前記穴に少なくとも一部が挿入され、軸が前記穴の軸と実質的に平行である少なくとも１つの管あるいはダクトを有する管であって、
前記穴の内壁と前記少なくとも１つの管あるいはダクトとの間の空間を、請求項１から１９のいずれかに記載のシステムによって封止されていることを特徴とする。
【発明の詳細な説明】
【技術分野】
【０００１】
本発明は、管状の穴の内壁と、この穴に少なくとも一部が挿入され、軸が穴の軸と実質的にである少なくとも１つの管あるいはダクトとの間の空間を封止するシステムに関する。このシステムは、この空間に挿入することが可能な封止プラグを形成する少なくとも２つの分割縦部材からなり、縦部材は、それぞれ、使用時に封止プラグと穴の内壁との間において円周方向に接触面を形成する複数の外側リブを縦方向に間隔を置いて設けた外面を有し、さらに各縦部材は、使用時に穴の外側端部に対して置くよう意図された外部つばを第１のフロントエンド部に設け、外側リブの少なくとも１つは、第１のフロントエンド部に向けて上昇していく上昇面を持つのこぎり歯形状を実質的に有する。
【背景技術】
【０００２】
上記で言う管状の穴は、床や、デッキや、壁や、パーティションにおける管状の通路である。また、他の管が少なくとも一部挿入される管である場合もある。上記の縦部材は、シェル部材と言ってもよい。実質的に平行とは、どのような場合でも、穴の軸と穴に挿入される管あるいはダクトの軸が５度程度の角度があるような状態も意味している。
【０００３】
このようなシステムは、例えば、中を液体が流れるお互いに接続される２つの管に使用される。これらの管の１つは、例えば、ハウスサービス接続を形成し、メイン配管やそのブランチ配管を形成する管の径より小さい径を有する。そのような管は、例えば、水や、ガスや、オイルや、化学液体などの移送に使用される。管間に位置するスペースは、上記したシステムで封止することができる。また、例えば、電話や、電気や、テレビ用のケーブルを、上記のようお互いに接続した管の中を通すことも考えられる。グラスファイバーケーブルと保護管の間の封止としてそのようなシステムを使用することも考えられる。このようなシステムは、ビルディングの壁、特に構造壁や床や屋根などに使用される。そこでは、ロストプラスティック管が使用され、例えば、水やガスやケーブル用の管のようなスルーダクトを通すことが可能な通路が、注がれるコンクリートに対して開いたままにされる。もちろん、通路は、ボーリング手段によってコンクリート板に設けるようにしてもよい。ダクトとロスト管やボーリングによる穴の内壁との間は、後に上記のようなシステムで封止することができる。
【０００４】
さらに、このようなシステムは、新しいビルディングの建築や、船や海洋施設のメンテナンスに使用することができる。そのような構造物のセクションは、組み立て用パーティションを、予め決められた計画に従って埠頭のドックにおいて並べていくことによって作られる。これらのパーティションが並べられる前、パーティションにはフィードスルーチューブを、例えば、溶接などによって設けることが可能である。ダクトがフィードスルーチューブの中に通された後、導入部に記載されたシステムがフィードスルーチューブの内壁とフィードスルーダクトとの間の空間を封止するために供給することが可能である。このように形成された封止プラグは、例えば、火災や爆発などにおけるパーティションの変形による動きを吸収する。封止プラグは、さらに、振動吸収機能を有し、疲弊症状を防止することができる。封止プラグは、さらに、防音性も有する。また、２つのそのようなプラグの間のフィードスルーチューブにおいて空気を閉じ込め、熱を遮蔽する。フィードスルーチューブとダクトやケーブルや中を通す管などが、異なる金属の材質で製造されることも可能である。これは、フィードスルーチューブとダクトやケーブルや中を通す管との間で接触が生じないので、ガルバニック腐食を事実上排除することができる。
【発明の開示】
【発明が解決しようとする課題】
【０００５】
導入部に記載したシステムは、ＮＬ７８０９２６０で知られている。このようなシステムの縦部材の外側リブは、のこぎり歯の形状を有する。縦部材で構成されるシール部材としてシステムが設置される管状の穴の径は、のこぎり歯形状の外側リブの１つが位置する横断面のシールの径より幾分小さいことが必要である。管状の穴の径がより小さいと、穴の内壁にかかる頂点による圧力が内壁に沿った動きを阻害するので、縦部材は穴に挿入するのが非常に困難となる。穴がより大きいと、縦部材は穴に比較的容易に挿入されるが、縦方向の比較的小さい力がかかったとき、シーリング機能が不適切となる。すなわち、上記のような公知なシステムの穴の寸法の許容度が比較的小さい。
【課題を解決するための手段】
【０００６】
本発明の目的は、この問題を解決するものである。
【０００７】
この目的は、のこぎり歯の頂点付近の上昇面の一部が、頂点から離れたところに位置する上昇面の部分に対して、縦方向に対して角度を有する水平部を有することを特徴とする本発明のシステムによって達成される。本発明のシステムに適した穴の径の許容度が公知なシステムよりより大きくすることができることが分かる。さらに、外側リブごとに、シーリングと穴の内壁との間に位置し、円周方向に、それ自身の上に隣接してより大きな接触面が形成されることが可能なことが分かる。その結果、本発明のシステムは、使用時に、公知なシステムよりより大きな圧力に抵抗することができる。これは、さらに、外側リブの数を減らすことが可能であり、縦部材のそれぞれを短くすることができる。従来技術で知られたシステムが使用可能な穴の最短長さより軸方向により短い穴において、本システムの使用が可能であることも有利な効果である。また、穴の内壁に対して水平部を押し付けることによるのこぎり歯の変形は、水平部がないのこぎり歯を使用するときに比べてより小さいことが分かる。小さな変形は、のこぎり歯が大きく変形するシステムに比べてより長い寿命の結果をもたらす。
【０００８】
水平部と頂点から離れたところに位置する上昇面の部分とが交わるところは、上昇面において外側方向への曲がりを形成することが好ましい。これにより、使用時、水平部を本システムが挿入される穴の内壁へより容易に移動させることができることがわかる。
【０００９】
のこぎり歯は、頂点から比較的離れたところに位置する部分と頂点付近の部分による下降面を有し、頂点付近の下降面の部分と頂点から比較的離れたところに位置する下降面の部分とが交わるところは、下降面において内側方向への曲がりを有するようにしてもよい。この曲がりにより、曲がりより上に位置する外側リブの部分は比較的シンプルな変形を呈し、システムを穴に挿入することを容易ならしめ、穴の内壁と外側リブとの間において大きな接触面を形成することを容易ならしめる。
【００１０】
さらに、これは、本発明のシステムが使用できる穴の径の許容値を大きくすることに寄与する。また、その曲がりは、曲がりの下に位置する外側リブの部分が比較的変形しにくいということにも寄与し、縦部材の剛性にも好適である。
【００１１】
頂点から比較的離れたところに位置する下降面の部分は、フロントエンド部に向けて傾くように構成されているのが好ましい。これにより、使用時に、穴に挿入されたことにより、外側リブが、圧縮され、穴の内壁と接触することにより第１のフロントエンド部の方向に幾分曲げられたときに、外側リブに対して支持を提供する。この支持は、リブの極端な変形を防止する。これは、外側リブと穴の内壁との間で比較的大きな接触面を形成し、良好な封止（シーリング）を形成することに寄与する。
【００１２】
さらに、上昇面に位置する曲がりは、下降面に位置する曲がりより、外面からより離れて位置することが好ましい。これにより、頂点近くに位置する水平部の部分の変形が、頂点から離れたところに位置する水平部の部分の変形より、より簡単に生じるようになる。これは、システムを穴に簡単に挿入することを可能にし、良好な封止を得ることが可能となる。
【００１３】
縦部材は、それぞれ、実質的に平らな内面を有することが可能であるが、より好適な態様では、縦部材は、それぞれ、使用時に封止プラグと少なくとも１つの管あるいはダクトとの間において環状接触面を形成する複数の内側リブを縦方向に間隔を置いて設けた内面を有することも可能である。
【００１４】
ここで、内側リブの少なくとも１つは、台形形状を有することが好ましく、さらに、台形の内面から最も離れた接触面は、台形の接触面と平行な他のいずれの面よりも小さいことが好ましい。このような内側リブは、内側リブの曲がりに対して大きな抵抗を呈し、本システムの剛性にまた好適である。また、これは、少なくとも１つの管あるいはダクトが、形成された封止プラグの中をスライドすることを可能ならしめる。これは、形成された封止と少なくとも１つの管あるいはダクトとの間のトータルな接触面が、封止プラグと穴の内壁との間のトータルな接触面よりより小さいからである。さらに、使用時に、封止プラグと少なくとも１つの管あるいはダクトとの間の接触面が小さいということを考慮すると、形成された封止プラグは比較的容易に少なくとも１つの管に沿ってスライドすることが可能となる。これは、本システムを設置することを容易にする。
【００１５】
接触面に隣接する角は、角が落とされているあるいは丸められているようにすることも可能である。これにより、本システムを少なくとも１つの管あるいはダクトの周りに設置することを容易にする。
【００１６】
特別な態様では、各頂点は、第１のタイプの横断面に位置し、各内側リブは第１のタイプの横断面とオーバーラップしない。これにより、封止プラグにおける圧力分布を、外側リブの頂点が位置するところの横断面と内側リブが交差するような公知なシステムより、より均一にすることになる。また、外側リブと内側リブの両方が変形するときに深刻な薄型化が生じることがないので、穴への本システムの設置がより容易になっている。これは、可能性のある内側リブの変形が、可能性のある外側リブ薄型化に対して、縦方向に少しずれているからである。１つの横断面において、内側リブの変形と外側リブの変形の両方が起こるような変形は事実上ない。
【００１７】
のこぎり歯の基底部近くに位置する上昇面の部分は第２のタイプの横断面に位置するようにしてもよい、そして、各内側リブは第２のタイプの横断面とオーバーラップする。使用時に、これは、点荷重を防止することになる。ここで、また、このような好適な圧力分布が、同様に本システムの設置のために有利な効果を奏する。
【００１８】
さらに、任意的に、各縦部材は、第１のフロントエンド部から離れたところにある第２のフロントエンド部の近くに位置する導入外側リブを有し、この導入リブは、各外側リブが延びているレベルと同じレベルの外周レベルまで延びており、使用時における封止プラグのセンターラインを基準に、その外周レベルは各外側リブが延びているレベルと同じである。そのような、導入リブは、特に、比較的簡単なシーリングとして形成された各縦エッジ、あるいは、縦エッジを方向づける。
【００１９】
特に、各縦部材は、第１のフロントエンド部の内面に位置する第１の内部つばを有するようにしてもよく、第１の内部つばは各内側リブが延びるレベルと同じレベルの内周レベルまで延びており、その内周レベルは使用時における封止プラグのセンターラインを基準にして、各内側リブが延びるレベルと同じである。これにより、使用時に、第１のフロントエンド部近くの液体がシーリングと少なくとも１つの管あるいはダクトとの間において通路を見つけるのを防止する。
【００２０】
特に、各縦部材は、第２のフロントエンド部の内面に位置する第２の内部つばを有するようにしてもよく、第２の内部つばは各内側リブが延びるレベルと同じレベルの内周レベルまで延びており、使用時における封止プラグのセンターラインを基準に、その内周レベルは各内側リブが延びるレベルと同じレベルである。これにより、使用時に、第２のフロントエンド部近くの液体がシーリングと少なくとも１つの管あるいはダクトとの間において通路を見つけるのを防止する。
【００２１】
少なくとも２つの縦部材は、実質的に同一であるのが好ましい。これにより、個々の縦部材の製造が同じ製造工程を取ることが可能となる。
【００２２】
本システムは、少なくとも２つの縦部材からなる。しかし、本システムは、３つ、４つ、５つ、６つ、あるいはそれ以上の縦部材からなるものでも可能である。これにより、特に、穴に少なくとも部分的に挿入される複数の管あるいはダクトとともに縦部材の設置を簡易化する。そのようなシステムの特別な態様のため、各縦部材は、少なくとも２つの内側面を有し、各内側面は、管あるいはダクトの少なくとも一部を囲い込むことが可能なように、縦方向に延びるくぼみを有する。これにより、本システムは、３つ、４つ、５つ、６つ、あるいはそれ以上の管あるいはダクトを少なくとも部分的に挿入するような穴に対して適用できるという有利な効果を有する。
【００２３】
本発明は、さらに、管状の穴と、穴に少なくとも一部が挿入され、軸が穴の軸と実質的に平行である少なくとも１つの管あるいはダクトを有する壁に関するものでもあり、穴の内壁と少なくとも１つの管あるいはダクトとの間の空間を上記のようなシステムによって封止されている。
【００２４】
また、本発明は、管状の穴と、穴に少なくとも一部が挿入され、軸が穴の軸と実質的に平行である少なくとも１つの管あるいはダクトを有する管に関するものもであり、穴の内壁と少なくとも１つの管あるいはダクトとの間の空間を上記のようなシステムによって封止されている、
【発明を実施するための最良の形態】
【００２５】
図面において、同じ部品には同じ符号を付す。
本発明のシステム（体系、集合部材）の縦部材（縦長部材）１の例を、図１において断面図にて図示する。この例において、縦部材の一部が示されているこのシステムは、２つの縦部材１からなり、そのうちの１つが図示されている。このシステムの応用は、図３の斜視図に示されている。
【００２６】
縦部材１は、使用時に、縦部材によって形成される封止プラグ５と管状の穴（空間）７の内壁６との間において円周方向（図２ａを参照）に接触面４を自分自身の上に形成する複数の外側リブ（リブとはあばら骨状の部位を言う）３を縦方向に間隔を置いて設けた外面２を有する（図２ａ、図２ｂを参照）。縦部材１は、使用時に穴７の外側端部１０に対して置くよう意図された外部つば９を第１のフロントエンド部（端部）８に設ける（図２ａ、図２ｂを参照）。外側リブ３は、それぞれ、第１のフロントエンド部８に向けて上昇していく上昇面１２を持つのこぎり歯１１の形状を実質的に有する。１つの外側リブのみがのこぎり歯の形状を有すること、または、すべてではないがいくつかの外側リブがのこぎり歯の形状を有することも、もちろん可能である。ここでの例では、すべての外側リブがのこぎり歯の形状を有する。のこぎり歯１１の頂点１３付近の上昇面１２の一部１４は、頂点１３から離れたところに位置する上昇面１２の部分２０に対して、縦方向Ｌに対してある角度を有する水平（均一化）部１５を有する。各上昇面１２は、のこぎり歯１１の頂点１３付近に押圧面１５を有する。押圧面１５は、縦方向Ｌに対して角度αを有し、角度αは頂点１３から離れた位置にある上昇面１２の部分２１と縦方向Ｌとによる角度βより小さい。角度αは、どのような場合でもゼロより大きい。
【００２７】
本発明のシステムは、２つ以上の分割縦部材１から構成され、管状の穴７の内壁６と、穴７に少なくとも一部が挿入（設置）され、軸が穴７の軸と実質的に平行である１つの管（チューブ）１７あるいはダクトとの間の空間１６を封止（シール）する。このシステムによって、封止プラグ５が形成され、空間１６に挿入されることが可能となる。封止プラグ５は、管１７あるいはダクトを強く包み込むようにしてもよい（図２ａ、図２ｂ、図３、図４）。
【００２８】
水平部１５と頂点１３から離れたところに位置する上昇面１２の部分２１とが交わるところ２２は、上昇面２２において外側方向への曲がり２３を形成している。この例では、曲がりはまっすぐな平面の交わりとして形成されているが、各面の方向が徐々に併合融合していくようにして面の交わりを形成する曲がりであってもよい。
【００２９】
のこぎり歯１１の下降面２４は、頂点１３から比較的離れたところに位置する部分２５を有し、その部分２５は、のこぎり歯１１の頂点１３付近の下降面２４の部分２６に対して、第１のフロントエンド部８に向けて傾くように構成されている。のこぎり歯１１の頂点１３付近の下降面２４の部分２６は、縦方向Ｌに対して角度θを有し、角度θは、頂点１３から離れた位置にある下降面２４の部分２５と縦方向Ｌによる角度ωより大きい。
【００３０】
のこぎり歯１１の頂点１３付近の下降面２４の部分２６と頂点から離れたところに位置する下降面２４の部分２５とが交わるところ２７は、下降面２４において内側方向への曲がり２８を形成している。上昇面１２に位置する曲がり２３は、下降面２４に位置する曲がり２８より、外面２からより離れて位置している。曲がり２３について上述した内容は、曲がり２８に対しても適用できる。すなわち、頂点付近の下降面の部分から頂点から離れた位置にある下降面の部分へと徐々に併合融合されていく内容は、本明細書では、前述した曲がりと考えることができる。さらに、のこぎり歯において水平部を有する上昇面なしで、下降面における曲がり２８を有するのこぎり歯を有することも可能である。下降面の各特徴にとって、その特徴がこの明細書で記載された上昇面のいくつかの特徴のうち１つが欠けているのこぎり歯において構成されているものであってもよい。
【００３１】
縦部材１は、さらに内面２９を有する。内面２９は、実質的に平らに構成されている。ただし、内面２９には、使用時に封止プラグ５と管１７との間において環状接触面３１を形成する複数の内側リブ３０を縦方向に間隔を置いて設けられているのが好ましい。内側リブ３０は、台形形状を有するのが好ましい。台形の内面２９から最も離れた接触面３２は、台形の接触面３２と平行な他のいずれの面よりも小さくなるように構成されている。
【００３２】
接触面３２に隣接する角３３は、角が落とされているあるいは丸められているのが好ましい。内面２９および内側リブ３０に関するこれらの内容は、外側リブ３がのこぎり歯の形状を有しないシステムにおいても適用できる。水平部１５がなくてもよい。
【００３３】
各頂点１３は、第１のタイプＶ１の仮想の横断面に位置する。各内側リブ３０は第１のタイプＶ１の横断面のそれぞれとまったくにオーバーラップしない。のこぎり歯１１の基底部３４の近くに位置する上昇面１２の部分３５は、第２のタイプＶ２の横断面のところに位置する。各内側リブ３０は第２のタイプＶ２の横断面とそれぞれオーバーラップするのが好ましい。外側リブ３の頂点１３に対する内側リブ３０の位置に関するこれらの内容は、外側リブ３がのこぎり歯の形状を有しない縦部材１によるシステムにおいても適用できる。水平部１５はなくてもよい。さらに、内側リブ３０が上記した内容と異なる構成のものでもよい。
【００３４】
断面図で示された縦部材１は、第１のフロントエンド部８から離れたところにある第２のフロントエンド部３７の近くに位置する導入外側リブ３６を有する。導入リブ３６は、各外側リブ３が延びている第２の外周レベルＢｕ．２よりセンターラインＨにより近い第１の外周レベルＢｕ．１まで延びている。ここで、第１の外周レベルＢｕ．１および第２の外周レベルＢｕ．２は、それぞれ、使用時における前記封止プラグのセンターラインＨを基準に設定される。
【００３５】
一例として図１に断面図が示された縦部材１は、第１のフロントエンド部８の内面２に位置する第１の内部つば３８を有し、第１の内部つば３８は各内側リブ３０が延びるレベルと同じレベルの内周レベルＢｉまで延びている。ここで、内周レベルＢｉは、使用時における封止プラグ５のセンターラインＨを基準に設定される。
【００３６】
断面図が示された縦部材１は、第２のフロントエンド部３７の内面に位置する第２の内部つば３９を有し、第２の内部つば３９は、各内側リブ３０が延びるレベルと同じレベルの内周レベルＢｉまで延びている。ここで、内周レベルＢｉは、使用時における封止プラグ５のセンターラインＨを基準に設定される。
【００３７】
図２ａ、図２ｂは、縦部材１が穴７の内壁６と穴７に少なくとも一部が挿入される管１７とどのように協働して働くかを詳細に示す。図２ａは、管状の穴７の内壁を断面図で示し、縦部材１により形成される封止プラグ５が管状の穴７の半分が取り除かれた状態で見えるように示されている。一般には、管状の穴７の外部で縦部材が管１７の周りにしっかりと付加され、その後、縦方向Ｌに移動させることによって、管状の穴７の内壁６と管１７との間の空間１６の中にスライドされる。導入リブ３６が、まず最初に管状の穴７の内壁６に接触する。縦方向Ｌにさらに押し込むことにより、さらに外側リブ３が管状の穴７の内壁６に接触する。特に、頂点１３と少なくとも水平部１５の面の一部が内壁６と接触する。この間に生じる摩擦力に打ち勝つためには、封止プラグ５を管状の穴７の中へ例えばハンマーなどで縦方向Ｌの方向に押し込む必要があるかも知れない。さらに、これらすべてを、縦部材や管状の穴の内壁や管１７などに例えばワセリンや軟石鹸などの潤滑剤を供給することによって容易にすることができる。特に、内壁がコンクリートで作られている場合には、これにより問題が生じなくなる。封止プラグ５は、外部つば９が穴７の外側端部１０に到達すると、もはやこれ以上縦方向Ｌには移動できない。これは、外部つばの大きさが縦方向Ｌへのさらなる移動を妨げるからである。この場合、少なくとも各水平部１５の面の一部が、管状の穴７の内壁６に対して押しつけられる。
【００３８】
図２ｂは、管状の穴７の内壁６を断面図で示す。管状の穴７に挿入される封止プラグ５もまた同じ断面の断面図で示されている。管状の穴に少なくとも一部が挿入される管１７だけが示され、縦部材１からなる封止プラグ５の内側リブ３０により形成された環状接触面３１が同様に示された図が示されている。管状の穴７に挿入された封止プラグ５を縦方向Ｌと反対方向へ動かすことが、内側リブ３０と管１７との間の環状接触面３１における摩擦と各水平部１５の少なくとも一部と管状の穴７の内壁６との間の接触面４で生じる摩擦によって、妨げられることは明らかである。打ち勝つべき摩擦力は、頂点１３の位置で最大である。水平部１５のため、縦方向Ｌとは反対の方向へのこぎり歯を押し縮めることにより、接触面４の面面積が増加し、そのためプラグを縦方向Ｌとは反対の方向へ管状の穴７から押し出すにはさらに大きな力が必要となる。いくつかのケースにおいて、本発明のシステムからなる封止プラグ５は、第２のフロントエンド部３７に対する圧力として少なくとも７バールまでの圧力に持ちこたえることが分かっている。
【００３９】
図３は、本発明のシステムの応用を斜視図で示したものである。ここでは、縦部材１からなる封止プラグ５が管状の穴の内壁と穴に少なくとも一部が挿入される管１７との間の空間に挿入されている。管１７の軸は、穴の軸と実質的に平行である。封止プラグ５の第１のフロントエンド部の外部つばが穴の外側端部にあたっているため、穴は見えない状態である。管状の穴の外壁５０のみが見えている。この場合、管状の穴とは、外壁５０が見えている管の一部を言う。しかし、管状の穴は壁の中に形成されているものであってもよい。
【００４０】
本発明のシステムは、３つ、４つ、５つ、６つ、あるいはそれ以上の縦部材からなるものでも可能である。４つの縦部材からなるシステムが図４に示され、図４は、１つの封止プラグを形成する縦部材の第１のフロントエンド部８を示す。各縦部材は、少なくとも２つの内側面４１を有し、各内側面４１は、穴７に挿入される管１７の１つの少なくとも一部を囲むことが可能なように、縦方向Ｌに延びるくぼみを有する。図４ｂ〜図４ｅは、３つ、５つ、６つ、および９つの縦部材による本発明のシステムをそれぞれ示している。
【００４１】
本発明のシステムの縦部材１は、お互いに実質的に同一であるのが好ましい。
【００４２】
図５は、図１の一部の断面図を好適な寸法とともに示している。
【００４３】
縦部材１は、少なくともなんらか圧縮可能な材料、例えば、ゴム、好ましくは７０°ショアＡの硬さのゴムなどから通常製造される。ゴムは、耐火性のある材質が好ましい。ゴムは、高い温度での使用が可能なように設計されている。シリコンゴムの使用も可能である。電気的に導電性があるゴムもまた使用可能である。システムは、適切な材料を使用してガス漏れしないかつ防水の構成としてもよいし、また、耐火性、ガス漏れしないかつ防水の構成としてもよい。縦部材１の製造過程において、この目的に適したモールドが使用される。そのような製造工程は、それ自体、公知な内容である。射出成形や圧縮成形の両方が使用可能である。
【００４４】
各縦部材１は、外面２上に平坦部４５を有し、平坦部４５は上昇面１２と外面２とが交わるところ４３から隣接する外側リブ３まで、縦方向Ｌに延るようにすることが可能である。すなわち、縦方向Ｌに延びる環状の面が、各外側リブ３間に位置することが可能である。２つ、３つ、あるいは４つ以外の数字の管を管状の穴に挿入できるように、また、これらの管と管状の穴の内壁との間の空間は本発明のシステムにより封止されるように、縦部材が設計されていてもよい。図６ａ、図６ｂは、本発明の各タイプのシステムに関する縦部材の可能な断面図の例を示す図である。図６ａは、各内側リブ３０が第２のタイプＶ２の横断面とオーバーラップしていることを示している。（第２のタイプの横断面は、のこぎり歯１１の基底部３４近くに位置する上昇面１２の部分３５と交差している。）
【００４５】
図６ｂは、各内側リブ３０が第３のタイプＶ３の横断面とオーバーラップしていることを示している。（第３のタイプの横断面は、外面２上の平坦部４５と交差し、平坦部４５は縦方向Ｌに外面２から隣接する外側リブ３まで延びている。）
【００４６】
２つの例において、各内側リブは第１のタイプＶ１の横断面とはオーバーラップしていない。
【００４７】
システムは、少なくとも２つの内側リブと少なくとも２つの外側リブ３とによる封止プラグを形成するものでもよい。
【００４８】
例えば管１７を挿入するフィードスルーチューブ５０の管状の穴を本発明の２つのシステムにより封止することも可能である。図７は、そのような応用例を示す。封止にかかる圧力に対しては十分な抵抗を発揮するため、例えば、４つの外側リブの代わりに３つの外側リブの使用も可能である。２つの外側リブの使用も可能である。これは、本発明のシステムによるプラグを比較的短く設計することができるので、フィードスルーチューブ５０を比較的短く設計することが可能である。これは、また、重量をセーブすることが可能であり、特に、造船などにおいて有用である。また、フィードスルーチューブ５０は、パーティションあるいは壁５１において障害物を形成することもない。
【００４９】
フィードスルーチューブ５０の長さと縦部材１の長さｌとをお互いにマッチさせ、図７に示された状況での使用のように、エアスロットＳを縦方向Ｌに対して比較的短く狭くすることも可能である。短くなったフィードスルーの長さは、それ自体有利な内容である。これは、さらに、使用時に、例えばフィードスルーチューブ５０の近くで火が発生し、その結果温度上昇が起こり、エアスロットＳの圧力が高くなるかも知れないが、封止プラグ５の少なくとも１つが外側に少々動き、その結果エアスロットＳの容量が比較的大きくなるという有利な内容も提供する。この容量の増加の結果、エアスロットＳの圧力は再び下がる。すなわち、特に、封止プラグ５の第２のフロントエンド部３７に対する抵抗を維持しながら、縦部材１の長さｌについてフレキシビルな寸法を可能としているため、これらの縦部材による封止プラグが、公知なシステムにより形成される封止プラグより長く持ちこたえる応用を可能としている。
【００５０】
本発明は、上記に示された実施の形態に限定されるものではない。多くの変形例が可能である。外部つばは、他のどのような形状であってもよい。例えば、外部つばは次のように設計されたものでもよい。すなわち、封止プラグが、例えば、幾分角が丸められた正方形形状の四角形の外部つばを有するようなものであってもよい。外部つばの厚さは、すなわち外部つばが縦方向Ｌに延びている長さは、外部つば近くの封止プラグの形状が使用時に維持され、そして、封止プラグが管状の穴の中に押し込まれないようなものが好ましい。
【００５１】
封止プラグ５は、実質的に円筒形をしているのが好ましいが、この形状から異なるものでもよい。システムが、矩形形状の管状の穴に適するような設計であってもよい。多角形形状の管状の穴に適した実施形態も可能である。他の非円形の実施形態、例えば楕円形形状の管状の穴に対する実施形態であってもよい。管状の穴に通されるケーブルや、ダクトや、管などについての適切性に対しても同じようなことが言える。システムは、円形形状とは異なる断面をもつ管などが、使用時に封止プラグによって取り囲まれることが可能なように設計することも可能である。もし必要であれば、当業者は、本発明の範囲内で、状況に適した寸法にすることが可能である。
【００５２】
そのような変形は、すべて本発明の範囲内である。
【図面の簡単な説明】
【００５３】
【図１】本発明の第１の実施の形態のシステムの縦部材の断面図である。
【図２．ａ】管状の穴の内壁と、穴に少なくとも一部が挿入され、軸が穴の軸と実質的に平行である少なくとも１つの管あるいはダクトとの間の空間に挿入される図１の縦部材の、第１の部分断面図である。
【図２．ｂ】管状の穴の内壁と、穴に少なくとも一部が挿入され、軸が穴の軸と実質的に平行である少なくとも１つの管あるいはダクトとの間の空間に挿入される図１の縦部材の、第２の部分断面図である。
【図３】本発明のシステム応用の斜視図である。
【図４．ａ】本発明のシステムの第２の実施の形態を縦方向Ｌから見た図である。
【図４．ｂ】本発明のシステムの第３の実施の形態を縦方向Ｌから見た図である。
【図４．ｃ】本発明のシステムの第４の実施の形態を縦方向Ｌから見た図である。
【図４．ｄ】本発明のシステムの第５の実施の形態を縦方向Ｌから見た図である。
【図４．ｅ】本発明のシステムの第６の実施の形態を縦方向Ｌから見た図である。
【図５】図１の断面図の部分を好適な寸法で示した図である。
【図６．ａ】本発明のシステムの一実施の形態に関する縦部材の第１の実施例を示す図である。
【図６．ｂ】本発明のシステムの一実施の形態に関する縦部材の第２の実施例を示す図である。
【図７】本発明のシステムを２つ使用した断面図を示す図である。
【図１】
2006514249.tif 000003
【図２．ａ】
2006514249.tif 000004
【図２．ｂ】
2006514249.tif 000005
【図３】
2006514249.tif 000006
【図４．ａ】
2006514249.tif 000007
【図４．ｂ】
2006514249.tif 000008
【図４．ｃ】
2006514249.tif 000009
【図４．ｄ】
2006514249.tif 000010
【図４．ｅ】
2006514249.tif 000011
【図５】
2006514249.tif 000012
【図６．ａ】
2006514249.tif 000013
【図６．ｂ】
2006514249.tif 000014
【図７】
2006514249.tif 000015
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
管状の穴の内壁と、前記穴に少なくとも一部が挿入され、軸が前記穴の軸と実質的に平行である少なくとも１つの管あるいはダクトとの間の空間を封止するシステムであって、
前記システムは、前記空間に挿入することが可能な封止プラグを形成する少なくとも２つの分割縦部材からなり、
前記縦部材は、それぞれ、使用時に前記封止プラグと前記穴の内壁との間において円周方向に接触面を形成する複数の外側リブを縦方向に間隔を置いて設けた外面を有し、
前記各縦部材は、使用時に前記穴の外側端部に対して置くよう意図された外部つばを第１のフロントエンド部に設け、
前記外側リブの少なくとも１つは、前記第１のフロントエンド部に向けて上昇していく上昇面を持つのこぎり歯形状を実質的に有し、
前記のこぎり歯の頂点付近の前記上昇面の一部は、前記頂点から離れたところに位置する前記上昇面の部分に対して水平部を有し、前記水平部は前記縦方向に対して角度を有することを特徴とする。
【請求項２】
請求項１に記載のシステムにおいて、
前記水平部と前記頂点から離れたところに位置する前記上昇面の部分とが交わるところは、前記上昇面において外側方向への曲がりを形成することを特徴とする。
【請求項３】
請求項１から２のいずれかに記載のシステムにおいて、
前記のこぎり歯は、前記頂点から比較的離れたところに位置する部分と前記頂点付近の部分による下降面を有し、
前記頂点から比較的離れたところに位置する部分と前記頂点付近の部分が交わるところは、前記下降面において内側方向への曲がりを有することを特徴とする。
【請求項４】
請求項３に記載のシステムにおいて、
前記頂点から比較的離れたところに位置する下降面の部分は、前記フロントエンド部に向けて傾くように構成されていることを特徴とする。
【請求項５】
請求項２または３に記載のシステムにおいて、
前記上昇面に位置する曲がりは、前記下降面に位置する曲がりより、前記外面からより離れて位置することを特徴とする。
【請求項６】
請求項１から５のいずれかに記載のシステムにおいて、
前記縦部材は、それぞれ、実質的に平らな内面を有することを特徴とする。
【請求項７】
請求項１から５のいずれかに記載のシステムにおいて、
前記縦部材は、それぞれ、使用時に前記封止プラグと前記少なくとも１つの管あるいはダクトとの間において環状接触面を形成する複数の内側リブを縦方向に間隔を置いて設けた内面を有することを特徴とする。
【請求項８】
請求項７に記載のシステムにおいて、
前記内側リブの少なくとも１つは、台形形状を有することを特徴とする。
【請求項９】
請求項８に記載のシステムにおいて、
前記台形の前記内面から最も離れた接触面は、前記台形の前記接触面と平行な他のいずれの面よりも小さいことを特徴とする。
【請求項１０】
請求項９に記載のシステムにおいて、
前記接触面に隣接する角は、角が落とされているあるいは丸められていることを特徴とする。
【請求項１１】
請求項７から１０のいずれかに記載のシステムにおいて、
各頂点は、第１のタイプの横断面に位置し、各内側リブは前記第１のタイプの横断面とオーバーラップしないことを特徴とする。
【請求項１２】
請求項７から１１のいずれかに記載のシステムにおいて、
前記のこぎり歯の基底部近くに位置する前記上昇面の部分は第２のタイプの横断面に位置し、各内側リブは前記第２のタイプの横断面とオーバーラップすることを特徴とする。
【請求項１３】
請求項１から１２のいずれかに記載のシステムにおいて、
前記各縦部材は、前記第１のフロントエンド部から離れたところにある第２のフロントエンド部の近くに位置する導入外側リブを有し、前記導入外側リブは、各外側リブが延びている第２の外周レベルよりセンターラインＨにより近い第１の外周レベルまで延びており、前記第１の外周レベルおよび前記第２の外周レベルは、それぞれ、使用時における前記封止プラグのセンターラインを基準に設定されることを特徴とする。
【請求項１４】
請求項７から１３のいずれかに記載のシステムにおいて、
前記各縦部材は、前記第１のフロントエンド部の内面に位置する第１の内部つばを有し、該第１の内部つばは各内側リブが延びるレベルと同じレベルの内周レベルまで延びており、前記内周レベルは使用時における前記封止プラグのセンターラインを基準に設定されることを特徴とする。
【請求項１５】
請求項７から１４のいずれかに記載のシステムにおいて、
前記各縦部材は、前記第２のフロントエンド部の内面に位置する第２の内部つばを有し、該第２の内部つばは各内側リブが延びるレベルと同じレベルの内周レベルまで延びており、前記内周レベルは使用時における前記封止プラグのセンターラインを基準に設定されることを特徴とする。
【請求項１６】
請求項１から１５のいずれかに記載のシステムにおいて、
前記少なくとも２つの分割縦部材は、実質的に同一であることを特徴とする。
【請求項１７】
請求項１から１６のいずれかに記載のシステムにおいて、
前記各縦部材は、少なくとも２つの内側面を有し、各内側面は、管あるいはダクトの少なくとも一部を囲むことが可能なように、前記縦方向に延びるくぼみを有することを特徴とする。
【請求項１８】
請求項１から１７のいずれかに記載のシステムにおいて、
前記各縦部材は、前記上昇面と前記外面とが交わるところから隣接する外側リブまで、前記縦方向に延びる前記外面上の平坦部を有することを特徴とする。
【請求項１９】
管状の穴と、前記穴に少なくとも一部が挿入され、軸が前記穴の軸と実質的に平行である少なくとも１つの管あるいはダクトを有する壁であって、
前記穴の内壁と前記少なくとも１つの管あるいはダクトとの間の空間を、請求項１から１８のいずれかに記載のシステムによって封止されていることを特徴とする。
【請求項２０】
管状の穴と、前記穴に少なくとも一部が挿入され、軸が前記穴の軸と実質的に平行である少なくとも１つの管あるいはダクトを有する管であって、
前記穴の内壁と前記少なくとも１つの管あるいはダクトとの間の空間を、請求項１から１８のいずれかに記載のシステムによって封止されていることを特徴とする。
【手続補正２】
【補正対象書類名】明細書
【補正対象項目名】０００１
【補正方法】変更
【補正の内容】
【０００１】
本発明は、管状の穴の内壁と、この穴に少なくとも一部が挿入され、軸が穴の軸と実質的に平行である少なくとも１つの管あるいはダクトとの間の空間を封止するシステムに関する。このシステムは、この空間に挿入することが可能な封止プラグを形成する少なくとも２つの分割縦部材からなり、縦部材は、それぞれ、使用時に封止プラグと穴の内壁との間において円周方向に接触面を形成する複数の外側リブを縦方向に間隔を置いて設けた外面を有し、さらに各縦部材は、使用時に穴の外側端部に対して置くよう意図された外部つばを第１のフロントエンド部に設け、外側リブの少なくとも１つは、第１のフロントエンド部に向けて上昇していく上昇面を持つのこぎり歯形状を実質的に有する。
【国際調査報告】
2006514249.tif 000016
2006514249.tif 000017